(57)【要約】【課題】被写体の撮影状態に関わらず、複数の撮影画像の中から所望の画像の選択を容易にするカメラを提供することを目的とする。【解決手段】被写体の像を撮影する撮像部と、撮影時における撮影者の状態を検出する状態検出部と、前記撮像部により取得された画像を、前記状態検出部により検出された撮影者の状態と関連付けて記録する画像記録部と、前記撮影者の状態に基づいて、前記画像記録部に記録されている画像の並び替えを行う画像ソート部と、該画像ソート部により並び替えられた順序で画像を表示する表示部とを備えるカメラを採用する。【選択図】図３
2009065466.tif 000002
【特許請求の範囲】
【請求項１】
被写体の像を撮影する撮像部と、
撮影時における撮影者の状態を検出する状態検出部と、
前記撮像部により取得された画像を、前記状態検出部により検出された撮影者の状態と関連付けて記録する画像記録部と、
前記撮影者の状態に基づいて、前記画像記録部に記録されている画像の並び替えを行う画像ソート部と、
該画像ソート部により並び替えられた順序で画像を表示する表示部とを備えるカメラ。
【請求項２】
前記状態検出部が、撮影者の体温を検出する温度センサである請求項１に記載のカメラ。
【請求項３】
前記状態検出部が、撮影者の脈拍数を検出する脈拍センサである請求項１に記載のカメラ。
【請求項４】
前記状態検出部が、撮影者がグリップに加える把持力を検出する圧力センサである請求項１に記載のカメラ。
【請求項５】
前記撮影者の状態が、前記状態検出部により検出された撮影者の体温、撮影者の脈拍数、および撮影者がグリップに加える把持力のうち少なくとも２つである請求項１に記載のカメラ。
【発明の詳細な説明】
【技術分野】
【０００１】
本発明は、撮影画像の並び替えを行うカメラに関するものである。
【背景技術】
【０００２】
従来、複数の撮影画像の中から所望の画像の選択を容易にするために、撮影画像の中から目や顔等の特定の人物部分を抽出し、抽出した目や顔等の状態を判別することにより、予め設定された条件の下で複数の撮影画像を評価し、高い評価の撮影画像を選別する方法が知られている（例えば、特許文献１参照。）。
【特許文献１】特開２００５−４５６００号公報
【発明の開示】
【発明が解決しようとする課題】
【０００３】
しかしながら、ある特定の条件（目や顔の状態）のみで画像を評価する上記技術では、例えば、撮影シーンを取り逃さないように構えている場合や、動いている被写体を連続撮影するような場合において、被写体の撮影状態によっては撮影者が所望する画像を選別することができないという不都合がある。
【０００４】
本発明は、上記事情に鑑みてなされたもので、被写体の撮影状態に関わらず、複数の撮影画像の中から所望の画像の選択を容易にするカメラを提供することを目的とする。
【課題を解決するための手段】
【０００５】
上記課題を解決するために、本発明は以下の手段を採用する。
本発明は、被写体の像を撮影する撮像部と、撮影時における撮影者の状態を検出する状態検出部と、前記撮像部により取得された画像を、前記状態検出部により検出された撮影者の状態と関連付けて記録する画像記録部と、前記撮影者の状態に基づいて、前記画像記録部に記録されている画像の並び替えを行う画像ソート部と、該画像ソート部により並び替えられた順序で画像を表示する表示部とを備えるカメラを採用する。
【０００６】
本発明によれば、撮像部により取得された画像が、状態検出部により検出された撮影時における撮影者の状態と関連付けられて画像記録部に記録される。そして、画像ソート部により撮影者の状態に基づいて画像の並び替えが行われ、並び替えられた順序にて画像が表示部に表示される。これにより、ユーザは撮影者の状態に基づいて並び替えられた順序で画像を確認することができる。
【０００７】
例えば、撮影者が、撮影シーンを取り逃さないように構えている場合や、動いている被写体を連続撮影するような場合において、被写体が近づいてくるような決定的場面では、撮影者の集中力や緊張感が高まる。一般的に、人間は集中力や緊張感が高まると、脈拍数の上昇や、これに伴う体温の上昇や、筋肉の硬直等の症状が現れることが知られている。したがって、例えば、体温や脈拍数やカメラの握り具合等の撮影者の状態に基づいて並び替えられた画像を確認することにより、ユーザの緊張感が高まった決定的場面を撮影した画像を優先的に表示することができる。その結果、多数の画像の中から所望の画像を容易に探し出すことができる。
【０００８】
また、上記発明において、前記状態検出部が、撮影者の体温を検出する温度センサであってもよい。
このようにすることで、撮影者の体温の高い順または低い順に画像を並び替えることができる。
【０００９】
また、上記発明において、前記状態検出部が、撮影者の脈拍数を検出する脈拍センサであってもよい。
このようにすることで、撮影者の脈拍数の高い順または低い順に画像を並び替えることができる。
【００１０】
また、上記発明において、前記状態検出部が、撮影者がグリップに加える把持力を検出する圧力センサであってもよい。
このようにすることで、撮影者がグリップに加える把持力の高い順または低い順に画像を並び替えることができる。
【００１１】
また、上記発明において、前記撮影者の状態が、前記状態検出部により検出された撮影者の体温、撮影者の脈拍数、および撮影者がグリップに加える把持力のうち少なくとも２つであるとしてもよい。
このようにすることで、撮影者の状態を総合的に評価し、その総合評価の高い順または低い順に画像を並び替えることができる。これにより、ユーザの緊張感が高まった場面をより精度よく捉えることができる。
【発明の効果】
【００１２】
本発明によれば、被写体の撮影状態に関わらず、複数の撮影画像の中から所望の画像の選択を容易にすることができるという効果を奏する。
【発明を実施するための最良の形態】
【００１３】
以下に、本発明の一実施形態に係るカメラについて、図面を参照して説明する。
図１および図２に示すように、本実施形態に係るカメラ１は、略直方体形状に形成されたカメラ本体３と、カメラ本体３の前面に設けられ被写体の像を撮影する撮像部２と、被写体に光を照射するストロボ２０と、カメラ本体３の上面に設けられ撮像部２の操作を行うシャッタボタン１３と、カメラ本体３の側面に設けられたグリップ部１１と、カメラ本体３の背面に設けられ各種の操作ボタンより構成される操作部１０７と、カメラ本体３に取り付けられたストラップ１２と、背面液晶等の表示デバイスである表示部１０６とを備えている。
【００１４】
グリップ部１１には、圧力センサ１２１が備えられており、圧力センサ１２１は、撮影者がグリップ部１１に加える把持力を検出するようになっている。
ストラップ１２には、脈拍センサ１２２が備えられており、脈拍センサ１２２は、ストラップ１２を撮影者の手首に巻きつけることで、撮影者の脈拍数を検出するようになっている。
シャッタボタン１３には、温度センサ１２３が備えられており、温度センサ１２３は、撮影者の体温を検出するようになっている。
【００１５】
操作部１０７は、電源ボタン２１と、撮像部２のフォーカスを調整するＷｉｄｅ／Ｔｅｌｅボタン２２と、撮影モードを選択するダイアル２３と、決定ボタン２４と、カーソルボタン２５とを備えている。
【００１６】
上記構成を有するカメラ１が備える機能について図３を用いて以下に説明する。
図３に示すように、本実施形態に係るカメラ１は、撮像部２と、撮像部２によって取得された画像を処理する画像処理装置１０と、画像を記録する記録メディア等である記録部１０５と、表示部１０６と、圧力センサ１２１と、脈拍センサ１２２と、温度センサ１２３と、これらを制御する制御装置４とを備えている。
【００１７】
撮像部２は、レンズ等の撮像光学系１０１と、ＣＣＤ等の撮像素子１０２とを備えている。
制御装置４は、ユーザが操作ボタン等によってＩＳＯ感度や露出などの撮影条件の設定を行う操作部１０７と、設定された条件に基づいて各部を制御する制御部１０８とを備えている。
【００１８】
画像処理装置１０は、入力された画像に対して画像処理を行う画像処理部１０３と、画像処理された画像を圧力センサ１２１、脈拍センサ１２２、および温度センサ１２３により検出された撮影者の状態と関連付けて一時保存するバッファメモリ１１１と、各画像に関連付けられた撮影者の状態に基づいてバッファメモリ１１１に記録された画像の並び替えを行う画像ソート部１１０とを備えている。
【００１９】
画像処理部１０３は、撮像素子１０２により取得された画像に対して、γ補正、色分離、および色マトリックス補正等の高画質化のための画像処理を施し、画像処理が行われた画像をバッファメモリ１１１に出力するようになっている。
【００２０】
画像ソート部１１０は、バッファメモリ１１１に一時保存された画像を読み出し、各画像に関連付けられた撮影者の状態に基づいてバッファメモリ１１１から読み出した画像の並び替えを行い、並び替えた画像を表示部１０６に出力するようになっている。具体的には、圧力センサ１２１により検出された撮影者がグリップ部１１に加える把持力と、脈拍センサ１２２により検出された撮影者の脈拍数と、温度センサ１２３により検出された撮影者の体温とから決定される撮影者の緊張度が高い順から、表示部１０６に優先的に表示するように画像の並び替えを行う。なお、撮影者の緊張度の決定方法については後述する。
この際、各画像のファイル名を優先度順位に基づいて変更してもよいし、あるいは優先度順位がわかるようなインデックスを各画像に付してもよい。
【００２１】
表示部１０６は、記録部１０５に記録された画像を、フォーマット変換を行うことによりユーザに目視可能に表示するようになっている。
記録部１０５は、表示部１０６により表示された画像のうち、ユーザにより選択された画像を記録するようになっている。
【００２２】
このように構成されたカメラ１の作用について、具体的な例を挙げて以下に説明する。
ユーザによってシャッタボタン７が半押しまたは全押しにされた時点から、圧力センサ１２１、脈拍センサ１２２、および温度センサ１２３にて検出した撮影者の状態の記録が開始される。なお、撮影時以外においても定期的に撮影者の状態を検出して撮影者の平常状態を記録しておき、該平常状態と撮影時の状態との差分値を記録することとしてもよい。
【００２３】
また、撮影者の状態の記録と並行して、以下のように被写体の撮影が行われる。
まず、ユーザによってシャッタボタン７が半押しされることにより、図示しない露出調整部により撮像部２の露出が調節される。
そして、ユーザによってシャッタボタン７が全押しされることにより、撮像光学系１０１によって取得された被写体の像は、撮像光学系１０１を介して撮像素子１０２の撮像面に結像され、撮像素子１０２によって電気信号に変換された被写体の像が、画像データとして取得され、画像処理部１０３に出力される。
【００２４】
画像処理部１０３では、入力された画像データに対してγ補正等の高画質化のための画像処理が施される。そして、画像処理された画像データは、バッファメモリ１１１に出力され、圧力センサ１２１、脈拍センサ１２２、および温度センサ１２３にて検出した撮影者の状態と関連付けられて一時保存される。具体的には、バッファメモリ１１１は、各画像データに対し、各センサにより検出された撮影者の状態と関連付けて保存されていることを示すフラグを付ける。
【００２５】
そして、画像ソート部１１０により、各画像に関連付けられた撮影者の状態に基づいて、画像の並び替えが行われる。具体的には、図４に示すように、撮影画像Ａ，Ｂ，Ｃ，Ｄ，Ｅに対して、各画像に関連付けられた体温、脈拍、および圧力ごとに、その計測値が大きいものから順位が決定され、当該順位の合計値に基づいて撮影者の緊張度が決定される。そして、順位の合計値が小さい順に、すなわち、撮影者の緊張度が高い順に、画像データの並び替えが行われる。例えば、画像Ａは、体温では２位、脈拍では３位、圧力では２位であり、順位の合計値は７と算出される。同様にして、画像Ｂ，Ｃ，Ｄ，Ｅの順位の合計値は、それぞれ３，９，１１，１５と算出される。したがって、順位の合計値が小さい順、すなわち、画像Ｂ，Ａ，Ｃ，Ｄ，Ｅの順に並び替えが行われる。
なお、並び替えは、連写撮影が終わった後に自動的に行ってもよいし、ユーザが画像選択モードを選択することにより行ってもよい。
【００２６】
各画像データは、図５に示すように、表示部１０６に撮影者の緊張度が高い順に目視可能に表示され、表示された画像に対してユーザによる選択が促される。
つまり、ユーザは、まず、最も撮影者の緊張度が高い撮影シーンにおいて撮影した画像Ｂを確認し、当該画像が所望の画像と合致していない場合には、撮影者の緊張度が高い順に他の画像の確認を行い、最も所望の画像に合致する画像を選択することができる。なお、表示部１０６に表示する画像は、予め設定した枚数としてもよいし、全ての画像を順次表示することとしてもよい。
そして、ユーザにより選択された画像が、記録部１０５に記録される。
【００２７】
以上説明したように、本実施形態に係るカメラによれば、撮像部２により取得された画像が、撮影時における撮影者の状態と関連付けられて記録され、撮影者の状態に基づいて並び替えられた順序で表示されるので、ユーザは撮影時における撮影者の緊張度が高い画像から順に確認することができる。
【００２８】
したがって、例えば、撮影者が、撮影シーンを取り逃さないように構えている場合や、動いている被写体を連続撮影するような場合において、体温や脈拍数やカメラの握り具合等の撮影者の状態に基づいて画像の並び替えを行うことにより、被写体が近づいてくるような決定的場面を撮影した画像を優先的に表示して、多数の画像の中から所望の画像を探す手間を省くことができる。
【００２９】
また、撮影者の状態を、圧力センサ１２１により検出された撮影者がグリップ部１１に加える把持力と、脈拍センサ１２２により検出された撮影者の脈拍数と、温度センサ１２３により検出された撮影者の体温とを組み合わせて決定することにより、撮影者の状態を総合的に評価し、その評価結果の高い順または低い順に画像を並び替えることができる。これにより、撮影者の緊張度が高まった場面をより精度よく捉えることができる。
【００３０】
なお、本実施形態では、画像処理装置としてハードウェアによる処理を前提としていたが、このような構成に限定されるものではない。例えば、別途ソフトウェアにて処理する構成も可能である。この場合、画像処理装置は、ＣＰＵ、ＲＡＭ等の主記憶装置、上記処理の全て或いは一部を実現させるためのプログラムが記録されたコンピュータ読み取り可能な記録媒体を備えていればよい。そして、ＣＰＵが上記記憶媒体に記録されているプログラムを読み出して、情報の加工・演算処理を実行することにより、上述の画像処理装置と同様の処理を実現させることができる。ここでコンピュータ読み取り可能な記録媒体とは、磁気ディスク、光磁気ディスク、ＣＤ−ＲＯＭ、ＤＶＤ−ＲＯＭ、半導体メモリ等をいう。
【００３１】
上記のソフトウェアによる具体的な処理について、図６および図７に示すフローチャートに基づいて以下に説明する。
まず、図６に示すフローチャートに基づいて撮影画像の取得が行われる。
カメラが起動されると、定期的に撮影者の状態の測定および記録が行われ（Ｓ１）、シャッタボタンが半押しされているか否かが判断される（Ｓ２）。次に、シャッタボタンが全押しされることにより（Ｓ３）、撮影者の状態の測定および記録が行われるとともに（Ｓ４）、画像の撮影および画像処理が行われる（Ｓ５）。そして、撮影者の状態と関連付けられた画像データを、メモリに記録し（Ｓ６）、撮影を終了する。
【００３２】
次に、図７に示すフローチャートに基づいて画像データの選択が行われる。
記録した撮影者の状態に基づく選択モードにより画像の選択が開始されると（Ｓ１０）、撮影者の状態に関連付けられた画像データをメモリから読み出してテーブルを作成する（Ｓ１１）。次に、記録した撮影者の状態が評価され（Ｓ１２）、その評価値に基づいて画像データの並び替えが行われる（Ｓ１３）。そして、並び替えられた順序にて表示部に画像データを表示し（Ｓ１４）、ユーザにより画像データの選択が行われる（Ｓ１５）。このように選択された画像データは、外部記録媒体に記録され（Ｓ１６）、表示枚数まで表示したことが判定された場合には（Ｓ１７）、画像データの選択を終了する。
なお、撮影者の状態以外の他の選択モードが選択された場合には（Ｓ１８）、当該モードにおける条件により画像データが選択され（Ｓ１９）、選択された画像データを外部記録媒体に記録し（Ｓ２０）、撮影を終了する。
【００３３】
なお、本実施形態において、撮影者の緊張度が高い順に画像を並び替えるとして説明したが、撮影者の緊張度が低い順に画像を並び替えることとしてもよい。これにより、所望する画像が、落ち着いた状態で撮影した画像である場合においても、これに関連付けられた画像を優先的に表示して、多数の画像の中から所望の画像を探す手間を省くことができる。
【００３４】
また、画像ソート部１１０により並び替えた画像データを表示部１０６に出力するとして説明したが、画像ソート部１１０により並び替えた画像データを記録部１０５に記録し、表示部１０６が記録部１０５より記録された画像データを読み出すこととしてもよい。さらに、ユーザにより選択されなかった画像データを記録部１０５より自動的に削除することとしてもよい。
【００３５】
また、圧力センサ１２１により検出された撮影者がグリップ部１１に加える把持力、脈拍センサ１２２により検出された撮影者の脈拍数、および温度センサ１２３により検出された撮影者の体温のうち１つまたは２つを用いて画像の並び替えを行うこととしてもよい。これにより、装置コストの低減および制御の簡易化を図ることが可能となる。
【図面の簡単な説明】
【００３６】
【図１】本発明の一実施形態に係るカメラの正面図である。
【図２】図１に示すカメラの背面方向の斜視図である。
【図３】図１に示すカメラが備える機能を展開して示した機能ブロック図である。
【図４】並び替えの方法を説明する図である。
【図５】並び替えが行われた画像を説明する図である。
【図６】本発明の一実施形態に係るカメラの撮影時の処理手順を示すフローチャートである。
【図７】本発明の一実施形態に係るカメラの画像選択時の処理手順を示すフローチャートである。
【符号の説明】
【００３７】
１  カメラ
２  撮像部
３  カメラ本体
４  制御装置
１０  画像処理装置
１１  グリップ部
１２  ストラップ
１３  シャッタボタン
１０５  記録部
１０６  表示部
１１０  画像ソート部
１１１  バッファメモリ
１２１  圧力センサ
１２２  脈拍センサ
１２３  温度センサ
【図１】
2009065466.tif 000003
【図２】
2009065466.tif 000004
【図３】
2009065466.tif 000005
【図４】
2009065466.tif 000006
【図５】
2009065466.tif 000007
【図６】
2009065466.tif 000008
【図７】
2009065466.tif 000009